(57)【要約】【課題】リッドのスムーズな開閉を実現しつつ製造コストを低減し得る情報媒体を提供する。【解決手段】磁気テープを巻回するテープリールと、テープリールを回転可能に収容するケース本体と、ケース本体に支持板７２が回動可能に取り付けられて磁気テープを引き出すための引き出し口を開閉するリッド７と、一方の腕部８２がケース本体の天板３１に係止されると共に他方の腕部８３がリッド７に係止された状態でケース本体およびリッド７の間に配設されて引き出し口を閉塞する回動方向にリッド７を付勢するリッドスプリング８ｄとを備え、リッドスプリング８ｄは、腕部８２が直線状に形成されると共に、配設状態において腕部８２の先端部が天板３１における引き出し口側の縁部から突出するように構成されている。【選択図】図１０
2007265541.tif 000002
【特許請求の範囲】
【請求項１】
磁気テープを巻回するテープリールと、当該テープリールを回転可能に収容するケース本体と、当該ケース本体に支持板が回動可能に取り付けられて前記磁気テープを引き出すための引き出し口を開閉するリッドと、一方の腕部が前記ケース本体の天板に係止されると共に他方の腕部が前記リッドに係止された状態で当該ケース本体および当該リッドの間に配設されて前記引き出し口を閉塞する回動方向に前記リッドを付勢するコイルばねとを備え、
前記コイルばねは、前記一方の腕部が直線状に形成されると共に、配設状態において前記一方の腕部の先端部が前記天板における前記引き出し口側の縁部から突出するように構成されている情報媒体。
【請求項２】
前記天板には、突起部が形成され、前記一方の腕部は、前記突起部と前記天板との角部に位置している請求項１記載の情報媒体。
【請求項３】
前記天板には、一対の前記突起部が形成され、前記一方の腕部は、前記一対の突起部の隙間に位置している請求項２記載の情報媒体。
【請求項４】
前記突起部には、前記角部に位置している前記一方の腕部に向けて傾斜する斜面が形成されている請求項２または３記載の情報媒体。
【請求項５】
前記コイルばねの前記他方の腕部は、前記リッドの前記支持板に係止され、
前記リッドは、前記支持板が前記ケース本体における前記磁気テープの走行経路を区画する側壁よりも当該ケース本体の外側に位置するように当該ケース本体に取り付けられ、
前記一対の突起部は、前記支持板と前記側壁との間に並設され、
前記斜面は、前記側壁側に位置する前記突起部に形成されている請求項４記載の情報媒体。
【発明の詳細な説明】
【技術分野】
【０００１】
本発明は、テープリールを回転可能に収容するケース本体と、ケース本体の引き出し口を開閉するリッドと、リッドを付勢するコイルばねとを備えた情報媒体に関するものである。
【背景技術】
【０００２】
この種の情報媒体として、特開２００２−３６７３２７号公報に開示されたテープカセットが知られている。このテープカセットは、アッパーシェルおよびロアーシェルを有するカセット筐体内に磁気テープが巻装されたハブが回転可能に配設されて構成されている。また、カセット筐体の前面側には、磁気テープを保護するリッドが回動自在に支持されている。この場合、リッドとアッパーシェルとの間には、閉蓋位置に向けてリッドを付勢する捩りコイルバネが配設され、非使用状態（記録再生装置から外されている状態）において、捩りコイルバネの付勢力によってカセット筐体の前面側がリッドによって閉塞される。
【０００３】
また、この種の情報媒体として、特開平７−３２０４４８号公報において出願人が開示したテープカセットが知られている。このテープカセットにおいても、上記のテープカセットと同様にして、ケース本体部（上記のテープカセットにおけるカセット筐体）の前面側に、リッドが回動自在に配設され、このリッドがリッドスプリング（上記のテープカセットにおける捩りコイルバネ）によって付勢されている。この場合、この種のリッドスプリングは、製造工程において直線状の足部（上記のテープカセットにおける一方の腕片）を切断するため、足部の先端面にバリが生じていることがある。このようなリッドスプリングを用いたときには、足部の先端部が係止される上ケース（上記のテープカセットにおけるアッパーシェル）にそのバリが突き刺さってリッドの動作不良を引き起こすおそれがある。このため、上記の各テープカセットでは、足部の先端面と上ケースとの接触を回避するために、リッドスプリングの足部の先端部（前者の公報では先端部（２５）、後者の公報では先端）が折り曲げられている。
【特許文献１】特開２００２−３６７３２７号公報（第３−５頁、第７図）
【特許文献２】特開平７−３２０４４８号公報（第３頁、第４図）
【発明の開示】
【発明が解決しようとする課題】
【０００４】
ところが、上記の各テープカセットには、以下の解決すべき課題が存在する。すなわち、これらのテープカセットでは、リッドスプリングにおける足部の先端部を折り曲げることで、足部の先端面と上ケースとの接触を回避している。このため、足部の先端部を折り曲げる工程が必要な分、リッドスプリングを製造する際の工程数が増加している。また、折り曲げ加工は、加工条件の僅かな差によって寸法に微妙な差が生じ易いため、僅かな寸法公差しか認められていないこの種のリッドスプリングを規定の寸法公差以内に収めるためには、高度な加工技術が必要とされる。したがって、上記の各テープカセットには、リッドスプリングを製造する際の工程数の増加や高度な加工技術を必要とすることに起因して製造コストの低減が困難であるという解決すべき課題が存在する。
【０００５】
本発明は、かかる解決すべき課題に鑑みてなされたものであり、リッドのスムーズな開閉を実現しつつ製造コストを低減し得る情報媒体を提供することを主目的とする。
【課題を解決するための手段】
【０００６】
上記目的を達成すべく本発明に係る情報媒体は、磁気テープを巻回するテープリールと、当該テープリールを回転可能に収容するケース本体と、当該ケース本体に支持板が回動可能に取り付けられて前記磁気テープを引き出すための引き出し口を開閉するリッドと、一方の腕部が前記ケース本体の天板に係止されると共に他方の腕部が前記リッドに係止された状態で当該ケース本体および当該リッドの間に配設されて前記引き出し口を閉塞する回動方向に前記リッドを付勢するコイルばねとを備え、前記コイルばねは、前記一方の腕部が直線状に形成されると共に、配設状態において前記一方の腕部の先端部が前記天板における前記引き出し口側の縁部から突出するように構成されている。
【０００７】
この場合、前記天板に突起部を形成し、前記突起部と前記天板との角部に前記一方の腕部を位置させることができる。
【０００８】
また、前記天板に一対の前記突起部を形成し、前記一方の腕部を前記一対の突起部の隙間に位置させることができる。
【０００９】
また、前記角部に位置している前記一方の腕部に向けて傾斜する斜面を前記突起部に形成することができる。
【００１０】
また、前記コイルばねの前記他方の腕部を前記リッドの前記支持板に係止させ、前記支持板が前記ケース本体における前記磁気テープの走行経路を区画する側壁よりも当該ケース本体の外側に位置するように前記リッドを当該ケース本体に取り付け、前記支持板と前記側壁との間に前記一対の突起部を並設し、前記側壁側に位置する前記突起部に前記斜面を形成することができる。
【発明の効果】
【００１１】
本発明に係る情報媒体によれば、一方の腕部を直線状に形成すると共に、配設状態において一方の腕部の先端部が天板における引き出し口側の縁部から突出するようにコイルばねを構成したことにより、腕部の先端部を折り曲げることなく天板等と腕部の先端面との接触を確実に回避することができる。このため、腕部の先端面にバリが生じていたとしても、天板等にそのバリが突き刺さってリッドの動作不良を引き起こす事態を確実に防止することができる。また、高度な技術が必要とされる折り曲げ加工を不要とすることができるため、その分、コイルばねの製造コストを十分に低減することができる。したがって、この情報媒体によれば、リッドのスムーズな開閉を実現しつつ製造コストを十分に低減することができる。また、従来の情報媒体のように腕部の先端部を折り曲げた構成では、折り曲げ部分の長さ（直線部分の長さ）がコイルばね毎に異なるため、天板や側壁と腕部とが接触する際の接触長（接触面積）がコイルばね毎に異なる結果、両者の間の摺動抵抗がコイルばね毎に微妙に異なっている。このため、従来の情報媒体では、リッドの開閉に必要な力に差（ばらつき）が生じている。これに対して、この情報媒体では、腕部の先端部が天板の縁部から突出するようにコイルばねを構成したことで、天板や側壁と腕部との接触長を一定（ほぼ一定）にすることができる。したがって、この情報媒体によれば、リッドの開閉に必要な力を一定に維持することができる。
【００１２】
また、本発明に係る情報媒体によれば、天板に突起部を形成したことにより、例えば、突起部を備えていない構成では、腕部の多くの部分がケース本体の側壁等に接触するのに対して、突起部と天板との角部に腕部を位置させることで腕部の僅かな部分だけを突起部に接触させた状態に維持することができる。したがって、リッドが開閉する際の腕部の摺動抵抗（つまり、突起部との間の摺動抵抗）を小さくすることができるため、リッドを一層スムーズに開閉させることができる。また、突起部を備えていない構成では、側壁に対して近接する向きへの腕部の移動が規制されないため、側壁と腕部との接触長（接触面積）が変動するのに対して、この情報媒体では、突起部と天板との角部に腕部を位置させることで、側壁に対して近接する向きへの腕部の移動を確実に規制して側壁と腕部とを常に離間させることができる。このため、側壁と腕部との接触長の変動に起因する両者の間の摺動抵抗の変動を小さく抑えることができる。
【００１３】
また、本発明に係る情報媒体によれば、一対の突起部を天板に形成したことにより、両突起部の隙間に腕部を位置させる（嵌り込ませる）ことで、側壁に対して近接する向きのみならず、側壁から離反する向きへの腕部の移動も確実に規制することができる。このため、側壁に対して接離する方向への腕部の移動に起因するコイルばねのがたつきを確実に防止することができる結果、リッドに対するコイルばねの付勢力を一定に維持することができる。したがって、この情報媒体によれば、リッドの開閉に必要な力を一層一定に維持することができる。
【００１４】
さらに、本発明に係る情報媒体によれば、天板と突起部との角部に位置しているコイルばねの腕部に向けて傾斜する斜面を突起部に形成したことにより、情報媒体の組立ての際に、コイルばねを組み付けたリッドをケース本体に嵌め込むだけで、腕部をスムーズに移動させて天板と突起部との角部（一対の突起部の間の隙間）に案内させることができる。このため、コイルばねの取り付けを短時間でしかも容易に行うことができる。
【００１５】
また、本発明に係る情報媒体によれば、磁気テープの走行経路を区画する側壁と、側壁よりもケース本体の外側に位置するリッドの支持板との間に両突起部を並設し、両突起部のうちの側壁側に位置する突起部に斜面を形成したことにより、リッドの支持板に他方の腕部を係止させた状態でコイルばねを組み付ける際に、側壁側（ケース本体の内部側）に位置している一方の腕部を斜面に沿わせて一層スムーズに移動させることができる。
【発明を実施するための最良の形態】
【００１６】
以下、本発明に係る情報媒体の最良の形態について、添付図面を参照して説明する。
【００１７】
最初に、情報媒体１の構成について、図面を参照して説明する。
【００１８】
図１〜３に示す情報媒体１は、例えば、電子計算機に記録されたデータをバックアップするためのストレージデバイスとして用いられる２リールタイプのカートリッジ式の情報媒体であって、磁気テープＴが巻回されたテープリール２，２、ケース本体３、リールブレーキ４、シート５，５、スライド部６およびリッド７を備えて構成されている。
【００１９】
テープリール２は、図１，２に示すように、磁気テープＴを巻回可能に構成されて、図２，３に示すように、ケース本体３の内部に収容されている。この場合、テープリール２の一端部（図１における上端部）には、リールブレーキ４の突起部４ａが係合することによって回転が規制される歯部２ａが形成されている。
【００２０】
ケース本体３は、図１，３に示すように、互いに嵌合可能な下ケース１１および上ケース１２を備えて構成されて、両ケース１１，１２の嵌合状態において形成される内部空間（収容部）にテープリール２，２を回転可能に収容する。下ケース１１は、図４に示すように、底板２１および側壁２２ａ〜２２ｆを備えて、全体として、浅皿状に形成されている。底板２１は、情報媒体１をドライブ装置に挿入する際の前面側（同図における下側）の中央部に切り欠き部２１ａが形成されて構成されている。この場合、この切り欠き部２１ａおよび後述する上ケース１２の開口部１２ａによって磁気テープＴを引き出すための引き出し口３ａ（図１１参照）が構成される。また、底板２１には、ドライブ装置の駆動軸を挿通させるための円形の挿通孔２１ｂ，２１ｂが形成されている。また、底板２１の切り欠き部２１ａ側には、スライド部６をスライド不可状態にロックするためのアーム状のロック部２１ｃ，２１ｃが形成されている。この場合、ロック部２１ｃは、図１に示すロックスプリング８ａによってその先端部がスライド部６側に向けて押圧される。さらに、底板２１における側壁２２ｆの近傍には、スライドスプリング８ｂ（同図参照）を固定するための突起部２４が形成されている。
【００２１】
側壁２２ａは、図４に示すように、底板２１における後部側（同図では上側）の縁部に立設されている。側壁２２ｂ，２２ｃは、底板２１における両側部の縁部にそれぞれ立設されている。側壁２２ｆは、底板２１の前部側（同図では下側）の縁部に立設されている。また、側壁２２ｆには、ブレーキスプリング８ｃ（図１参照）を固定するための突起部２５が形成されている。この場合、側壁２２ａ〜２２ｃ，２２ｆは、後述する上ケース１２の側壁３２ａ〜３２ｃと共に、テープリール２，２を収容する収容部を区画する。側壁２２ｄ，２２ｅは、側壁２２ｂ，２２ｃと平行（ほぼ平行）で、かつ側壁２２ｂ，２２ｃよりも底板２１の内側にそれぞれ位置するようにして底板２１の両側部における前部側の縁部に立設されている。この場合、側壁２２ｄ，２２ｅは、後述する上ケース１２の側壁３２ｄ，３２ｅと共に、磁気テープＴの走行経路を区画する。
【００２２】
上ケース１２は、図５に示すように、天板３１、側壁３２ａ〜３２ｅを備えて、ドライブ装置に挿入する際の前面側（同図では下側）に開口部１２ａを有する浅皿状に形成されている。天板３１は、全体として矩形に形成されている。また、天板３１の中央部には、矩形の天窓３１ａが形成され、この天窓３１ａには、透明な（またはほぼ透明な）カバー３３が取り付けられている。この場合、カバー３３には、ロックスプリング８ａ（図１参照）を固定するための突起部３３ａが形成されている。
【００２３】
側壁３２ａは、図５に示すように、天板３１における後部側（同図では上側）の縁部に立設されている。側壁３２ｂ，３２ｃは、天板３１における両側部の縁部にそれぞれ立設されている。この場合、側壁３２ａ〜３２ｃは、下ケース１１の側壁２２ａ〜２２ｃ，２２ｆと共に、テープリール２，２を収容する収容部を区画する。側壁３２ｄ，３２ｅは、側壁３２ｂ，３２ｃと平行（ほぼ平行）で、かつ側壁３２ｂ，３２ｃよりも天板３１の内側にそれぞれ位置するようにして天板３１の両側部における前部側（同図では下側）に立設されている。この場合、側壁３２ｄ，３２ｅは、下ケース１１の側壁２２ｄ，２２ｅと共に、磁気テープＴの走行経路を区画する。また、図６に示すように、側壁３２ｄ，３２ｅ（同図では、側壁３２ｅのみを図示している）における開口部１２ａの近傍には、後述するリッド７の支持板７２に形成された回転軸７２ａが嵌め合わされる半円状の切り欠き３７が形成されている。
【００２４】
また、図１０に示すように、天板３１における開口部１２ａ側の縁部の一端部（図５における左端部）、つまり天板３１における側壁３２ｅとリッド７の支持板７２との間には、リブ３４，３５が形成（並設）されている。この場合、リブ３４，３５は、本発明における一対の突起部に相当し、リッドスプリング８ｄの一方の腕部８２（図８も参照）を両者の間の隙間３６（両者の少なくとも一方と天板３１との角部）に位置させる（嵌り込ませる）ことにより、横方向（同図における上下方向）への腕部８２の振れを規制する機能を有している。また、両リブ３４，３５のうちの側壁３２ｅ側に位置するリブ３５には、図６に示すように、隙間３６に位置している腕部８２に向けて、つまり隙間３６の中心部に向けて傾斜する斜面３５ａが形成されている。具体的には、この斜面３５ａは、リブ３５の突出側の表面（同図における上面）に形成されている。なお、同図では、リブ３５の突出側の表面の全域を斜面３５ａに形成しているが、その表面の一部を斜面に形成してもよい。この場合、斜面３５ａは、リッドスプリング８ｄを取り付ける際に腕部８２を隙間３６に案内する案内部として機能する。
【００２５】
リールブレーキ４は、図２，３に示すように、テープリール２，２に対して接離する方向に沿ってスライド可能にケース本体３の内部に配設されている。また、リールブレーキ４は、リッド７の回動に伴ってスライドさせられることにより、テープリール２，２の回転規制、および回転規制の解除を行う。シート５，５は、図１に示すように、下ケース１１とテープリール２との間、およびテープリール２と上ケース１２との間にそれぞれ配設されて、テープリール２を円滑に回転動作させると共に、磁気テープＴの幅方向への移動を規制する。スライド部６は、図３に示すように、下ケース１１の外側にスライド可能に取り付けられている。
【００２６】
リッド７は、図７に示すように、本体部７１、および本体部７１の両端部に形成された支持板７２，７２を備えて構成されている。また、支持板７２，７２には、回転軸７２ａおよび突起部７２ｂがそれぞれ形成されている。この場合、リッド７は、図１０，１１に示すように、上ケース１２の側壁３２ｄ，３２ｅ（両図では、側壁３２ｅのみを図示している）に形成された切り欠き３７に支持板７２の回転軸７２ａが嵌め合わされることにより、側壁３２ｄ，３２ｅによって回動可能に保持されている。また、リッド７は、図１，８，９に示すリッドスプリング８ｄによって、図３に示す矢印Ａの方向（開口部１２ａを閉塞する方向）に付勢されると共に、ドライブ装置によって回動させられることにより、本体部７１によって開口部１２ａを開閉する。
【００２７】
ここで、リッドスプリング８ｄは、本発明におけるコイルばねに相当し、図８，９に示すように、コイル部８１、腕部８２，８３を備えて構成されて、図１０に示すように、ケース本体３の上ケース１２とリッド７の支持板７２との間に配設されている。また、リッドスプリング８ｄは、図１０に示すように、コイル部８１にリッド７の回転軸７２ａが挿通されると共に、腕部８２（本発明における一方の腕部）が上ケース１２の天板３１に係止され、かつ腕部８３（本発明における他方の腕部）がリッド７における支持板７２の突起部７２ｂに係止された状態で配設されることにより、リッド７を付勢する。
【００２８】
この場合、このリッドスプリング８ｄでは、腕部の先端部が折り曲げられている従来のテープカセット用のリッドスプリングとは異なり、図８，９に示すように、腕部８２の先端部が直線状に形成されている。このため、折り曲げ加工が不要な分、リッドスプリング８ｄを低コストで製造することが可能となっている。また、このリッドスプリング８ｄでは、コイル部８１の仮想中心から腕部８２の先端面８２ａまでの長さが、上ケース１２の側壁３２ｅにおける切り欠き３７の仮想中心からリブ３５の先端面３５ｂ（図６参照）までの距離よりも長く規定されている。このため、図１０に示すように、リッドスプリング８ｄの配設状態においては、腕部８２の先端部（先端面８２ａ）が、天板３１における引き出し口３ａ側の縁部（リブ３５の先端面３５ｂ）から引き出し口３ａに向けて突出する。
【００２９】
次に、情報媒体１の組立て方法の一例について、図面を参照して説明する。
【００３０】
最初に、情報媒体１の下側部分を組み立てる。具体的には、図１に示すように、ケース本体３における下ケース１１の突起部２４にスライドスプリング８ｂをはめ込む。次いで、スライドスプリング８ｂの一端部をスライド部６に係合させて、下ケース１１の外側にスライド部６を取り付ける。続いて、同図に示すように、下ケース１１における底板２１の内壁側にシート５を載置して、その上に予め磁気テープＴを巻回したテープリール２，２を載置する。次いで、テープリール２，２の上に更にシート５を載置する。続いて、下ケース１１の突起部２５にブレーキスプリング８ｃをはめ込む。次いで、ブレーキスプリング８ｃの一端部をリールブレーキ４に係合させて、リールブレーキ４を下ケース１１にセットする。
【００３１】
次に、情報媒体１の上側部分を組み立てる。具体的には、図１に示すように、上ケース１２に予め固定されているカバー３３の突起部３３ａ（図５参照）にロックスプリング８ａを嵌め込む。次いで、図１０に示すように、リッド７における一方（図７における左側）の支持板７２の回転軸７２ａをリッドスプリング８ｄのコイル部８１に挿通させると共に、リッドスプリング８ｄにおける腕部８３の先端部を支持板７２の突起部７２ｂに係止させて、リッドスプリング８ｄをリッド７に組み付ける。
【００３２】
続いて、図１０に示すように、リッドスプリング８ｄを組み付けたリッド７における支持板７２の回転軸７２ａを上ケース１２における側壁３２ｄ，３２ｅの切り欠き３７に嵌め合わせる。この際に、図６に示すように、リッドスプリング８ｄにおける腕部８２の先端部がリブ３５の斜面３５ａに沿って天板３１側にスムーズに移動して、リブ３４とリブ３５との間の隙間３６に案内される。これにより、リッド７が上ケース１２に取り付けられると共に、図１０に示すように、リッドスプリング８ｄが上ケース１２とリッド７との間に取り付けられる（配設される）。この場合、上記したように、この状態においては、腕部８２の先端部（先端面８２ａ）が天板３１における引き出し口３ａ側の縁部（リブ３５の先端面３５ｂ）から引き出し口３ａに向けて突出しているため、天板３１や側壁３２ｅと腕部８２の先端面８２ａとの接触が確実に回避される。
【００３３】
次いで、下ケース１１における各側壁２２ａ〜２２ｅの先端面と、上ケース１２における各側壁３２ａ〜３２ｅの先端面とがそれぞれ対向するようにして、図３に示すように、上ケース１２と下ケース１１とを嵌合させる。次いで、上ケース１２と下ケース１１とをねじ止めする。以上により、情報媒体１の組立てが完了する。
【００３４】
次に、情報媒体１を用いたデータの記録再生方法について、図面を参照して説明する。
【００３５】
この情報媒体１が図外のドライブ装置から取り出されている状態、つまり非使用時においては、図３に示すように、リールブレーキ４が、ブレーキスプリング８ｃの付勢力によってテープリール２，２に近接している。このため、本体部４の突起部４ａ，４ａがテープリール２，２の歯部２ａにそれぞれ係合して、テープリール２，２の回転が規制されている。また、同図に示すように、リッド７が、リッドスプリング８ｄによって矢印Ａの方向に付勢されて、ケース本体３における上ケース１２の開口部１２ａを閉塞している。また、スライド部６が、下ケース１１における底板２１の切り欠き部２１ａ側に位置して、底板２１の挿通孔２１ｂ，２１ｂおよび切り欠き部２１ａを閉塞している。
【００３６】
一方、情報媒体１がドライブ装置の挿入口から装填部に向けて挿入されたときには、装填部が情報媒体１を内部に引き込む。この際に、下ケース１１のロック部２１ｃ，２１ｃの先端部が上方向に押し上げられて、スライド部６のスライド不可状態が解除される。次いで、図１１に示すように、スライド部６が、下ケース１１の側壁２２ａ（図３参照）側にスライドさせられて、下ケース１１の挿通孔２１ｂおよび切り欠き部２１ａが開口される。続いて、装填部が、ドライブ装置内の駆動軸の先端部に向けて情報媒体１を移動させる。この際に、駆動軸が挿通孔２１ｂを通ってテープリール２の中心部に挿入される。
【００３７】
次に、ドライブ装置が、図１１に示すように、リッドスプリング８ｄの付勢力に抗してリッド７を矢印Ｂの方向に回動させることにより、上ケース１２の開口部１２ａが開口される。この場合、この情報媒体１では、リッドスプリング８ｄにおける腕部８２の先端部（先端面８２ａ）が天板３１における引き出し口３ａ側の縁部から引き出し口３ａに向けて突出して、天板３１や側壁３２ｅと先端面８２ａとの接触が確実に回避されている。したがって、腕部８２の先端面８２ａにバリが生じていたとしても、天板３１や側壁３２ｅにそのバリが突き刺さる事態が回避される結果、リッド７がスムーズに回動される。
【００３８】
一方、リッド７の回動により、図１１に示すように、リッド７における支持板７２の突起部７２ｂがリールブレーキ４の先端部における突起部（図示せず）に係合して、リールブレーキ４を開口部１２ａ側に移動させる。これに伴い、テープリール２，２の歯部２ａとリールブレーキ４の突起部４ａ，４ａとの係合が解除されて、テープリール２，２の回転の規制が解除される。次いで、ドライブ装置がテープリール２，２を回転させると共に、データの読み出しや書き込みを開始する。
【００３９】
次に、データの読み出しや書き込みが終了した際には、装填部が、駆動軸の先端部から情報媒体１を離間させる。続いて、ドライブ装置が、図３に示す矢印Ａの方向にリッド７を回動させることにより、同図に示すように、上ケース１２の開口部１２ａが閉塞される。この場合においても、上記したように、リッドスプリング８ｄにおける腕部８２の先端部が天板３１における引き出し口３ａ側の縁部から引き出し口３ａに向けて突出しているため、腕部８２の先端面８２ａにバリが生じていたとしても、リッド７のスムーズな回動が確保される。
【００４０】
一方、リッド７の回動により、図３に示すように、リッド７における支持板７２の突起部７２ｂとリールブレーキ４の先端部における突起部との係合が解除されて、リールブレーキ４が、ブレーキスプリング８ｃの付勢力によってテープリール２側に移動される。これに伴い、テープリール２，２の歯部２ａとリールブレーキ４の突起部４ａ，４ａとが係合して、テープリール２，２の回転が規制される。次いで、装填部が、挿入口の外側に向けて情報媒体１を押し出す。この際に、図３に示すように、スライド部６が、下ケース１１における底板２１の切り欠き部２１ａ側にスライドさせられて、切り欠き部２１ａおよび挿通孔２１ｂ，２１ｂが閉塞される。これにより、情報媒体１がドライブ装置の挿入口から取り出し可能な状態となる。
【００４１】
このように、この情報媒体１によれば、腕部８２を直線状に形成すると共に、配設状態において腕部８２の先端部が天板３１における引き出し口３ａ側の縁部から引き出し口３ａに向けて突出するようにリッドスプリング８ｄを構成したことにより、腕部８２の先端部を折り曲げることなく天板３１や側壁３２ｅと腕部８２の先端面８２ａとの接触を確実に回避することができる。このため、腕部８２の先端面８２ａにバリが生じていたとしても、天板３１および側壁３２ｅにそのバリが突き刺さってリッド７の動作不良を引き起こす事態を確実に防止することができる。また、高度な技術が必要とされる折り曲げ加工を不要とすることができるため、その分、リッドスプリング８ｄの製造コストを十分に低減することができる。したがって、この情報媒体１によれば、リッド７のスムーズな開閉を実現しつつ製造コストを十分に低減することができる。また、従来の情報媒体のように腕部の先端部を折り曲げた構成では、折り曲げ部分の長さ（直線部分の長さ）がリッドスプリング毎に異なるため、天板や側壁と腕部とが接触する際の接触長（接触面積）がリッドスプリング毎に異なる結果、両者の間の摺動抵抗がリッドスプリング毎に微妙に異なっている。このため、従来の情報媒体では、リッドの開閉に必要な力に差（ばらつき）が生じている。これに対して、この情報媒体１では、腕部８２の先端部が天板３１の縁部から突出するようにリッドスプリング８ｄを構成したことで、天板３１や側壁３２ｅと腕部８２との接触長を一定（ほぼ一定）にすることができる。したがって、この情報媒体１によれば、リッド７の開閉に必要な力を一定に維持することができる。
【００４２】
また、この情報媒体１によれば、天板３１にリブ３４，３５を形成したことにより、例えば、リブ３４，３５を備えていない構成では、腕部８２の多くの部分が側壁３２ｅに接触するのに対して、リブ３４，３５の少なくとも一方と天板３１との角部に腕部８２を位置させる（嵌り込ませる）ことで腕部８２の僅かな部分だけをリブ３４，３５に接触させた状態に維持することができる。したがって、リッド７が開閉する際の腕部８２の摺動抵抗（つまり、リブ３４，３５との間の摺動抵抗）を小さくすることができるため、リッド７を一層スムーズに開閉させることができる。また、リブ３４，３５を備えていない構成では、側壁３２ｅに対して近接する向きへの腕部８２の移動が規制されないため、側壁３２ｅと腕部８２との接触長（接触面積）が変動するのに対して、この情報媒体１では、リブ３４，３５と天板３１との角部に腕部８２を位置させることで、側壁３２ｅに対して近接する向きへの腕部８２の移動を確実に規制して側壁３２ｅと腕部８２とを常に離間させることができる。このため、側壁３２ｅと腕腕部８２との接触長の変動に起因する両者の間の摺動抵抗の変動を小さく抑えることができる。
【００４３】
また、この情報媒体１によれば、一対のリブ３４，３５を天板３１に形成したことにより、両リブ３４，３５の隙間３６に腕部８２を位置させる（嵌り込ませる）ことで、側壁３２ｅに対して近接する向きのみならず、側壁３２ｅから離反する向きへの腕部８２の移動も確実に規制することができる。このため、側壁３２ｅに対して接離する方向への腕部８２の移動に起因するリッドスプリング８ｄのがたつきを確実に防止することができる結果、リッド７に対するリッドスプリング８ｄの付勢力を一定に維持することができる。したがって、この情報媒体１によれば、リッド７の開閉に必要な力を一層一定に維持することができる。
【００４４】
さらに、この情報媒体１によれば、リブ３４，３５の一方と天板３１との角部に位置している腕部８２（隙間３６の中央部）に向けて傾斜する斜面３５ａをリブ３５に形成したことにより、情報媒体１の組立ての際に、リッドスプリング８ｄを組み付けたリッド７を上ケース１２に嵌め込むだけで、腕部８２をスムーズに移動させてリブ３４，３５の一方と天板３１との角部（隙間３６）に案内させることができる。このため、リッドスプリング８ｄの取り付けを短時間でしかも容易に行うことができる。
【００４５】
また、この情報媒体１によれば、ケース本体３の側壁３２ｅと、側壁３２ｅよりもケース本体３の外側に位置するリッド７の支持板７２との間にリブ３４，３５を並設し、両リブ３４，３５のうちの側壁３２ｅ側に位置するリブ３５に斜面３５ａを形成したことにより、リッド７の支持板７２に腕部８３を係止させた状態でリッドスプリング８ｄを組み付ける際に、側壁３２ｅ側（上ケース１２の内部側）に位置している腕部８２を斜面３５ａに沿わせて一層スムーズに移動させることができる。
【００４６】
なお、本発明は、上記の構成に限定されない。例えば、一対のリブ３４，３５を天板３１に形成した例について上記したが、図１２に示す情報媒体１０１のように、単一のリブ１３５（本発明における突起部）を備えた構成を採用することもできる。この場合、同図に示すように、このリブ１３５には、上記したリブ３５と同様にして、リブ１３５と天板３１との角部に位置している腕部８２に向けて傾斜する斜面１３５ａが形成されている。この情報媒体１０１においても、天板３１にリブ１３５を形成したことにより、リブ１３５と天板３１との角部に腕部８２を位置させることで、側壁３２ｅに対して近接する向きへの腕部８２の移動を確実に規制して側壁３２ｅと腕部８２とを常に離間させることができる。このため、側壁３２ｅと腕部８２との接触長の変動に起因する両者の間の摺動抵抗の変動を小さく抑えることができる。また、リブ１３５に斜面１３５ａを形成したことにより、情報媒体１と同様にして、リッドスプリング８ｄの取り付けを短時間でしかも容易に行うことができる。
【００４７】
また、腕部８３を上ケース１２の天板３１に係止させると共に腕部８２をリッド７の支持板７２に係止させた状態でリッドスプリング８ｄを配設する構成を採用することもでき、この場合、上記したリブ１３５に代えて、リッド７の支持板７２側に単一のリブ（情報媒体１のリブ３４と同様のリブ）を形成して構成する。また、リッドスプリング８ｄをリッド７の一方の端部にのみ取り付けた構成例について上記したが、リッド７の両端部にリッドスプリング８ｄを配設する構成を採用することもできる。また。リブ３４とリブ３５との間の隙間３６にリッドスプリング８ｄの腕部８２を位置させる（嵌り込ませる）構成例について上記したが、リブ３４，３５に代えて天板３１に溝を形成してその溝に腕部８２を位置させる（嵌り込ませる）構成を採用することもできる。さらに、リブ３４，３５を備えていない構成を採用することもできる。また、リブ３５に斜面３５ａを形成した構成例について上記したが、隙間３６の中央部に向けて傾斜する斜面をリブ３４，３５の双方に形成する構成を採用することもできる。
【００４８】
また、電子計算機に記録されたデータのバックアップに用いられる情報媒体１を例に挙げて説明したが、画像データの記録に用いられる情報媒体や、音声データの記録に用いられる情報媒体等の各種の情報媒体に本発明を適用することができる。また、２つのテープリール２を備えた情報媒体１を例に挙げて説明したが、単一のテープリールを備えた情報媒体や、ディスク状の記録媒体を備えた情報媒体に本発明を適用することもできる。
【図面の簡単な説明】
【００４９】
【図１】情報媒体１の分解斜視図である。
【図２】情報媒体１の平面図である。
【図３】情報媒体１の側面図である。
【図４】下ケース１１の内面側から見た平面図である。
【図５】上ケース１２の内面側から見た平面図である。
【図６】上ケース１２におけるリブ３４，３５周辺の構成を示す斜視図である。
【図７】リッド７の裏面側から見た平面図である。
【図８】リッドスプリング８ｄの正面図である。
【図９】リッドスプリング８ｄの平面図である。
【図１０】上ケース１２にリッド７を取り付けた状態の平面図である。
【図１１】開口部１２ａが開口された状態の情報媒体１の側面図である。
【図１２】情報媒体１０１におけるリブ１３５周辺の構成を示す斜視図である。
【符号の説明】
【００５０】
１，１０１  情報媒体
２  テープリール
３  ケース本体
３ａ  引き出し口
７  リッド
８ｄ  リッドスプリング
３１  天板
３２ｅ  側壁
３４，３５，１３５  リブ
３５ａ，１３５ａ  斜面
３６  隙間
７２  支持板
８２，８３  腕部
Ｔ  磁気テープ
【図１】
2007265541.tif 000003
【図２】
2007265541.tif 000004
【図３】
2007265541.tif 000005
【図４】
2007265541.tif 000006
【図５】
2007265541.tif 000007
【図６】
2007265541.tif 000008
【図７】
2007265541.tif 000009
【図８】
2007265541.tif 000010
【図９】
2007265541.tif 000011
【図１０】
2007265541.tif 000012
【図１１】
2007265541.tif 000013
【図１２】
2007265541.tif 000014